(57)【要約】【課題】  キャップを容器に被せるときに、キャッピング用機械に引っ掛かったりしないキャップを得る。【解決手段】  キャップ１０は、天面壁１２と外周壁１４とを含む。外周壁１４には、その一部を破断して容器への係合力を弱めるための引張り部２４が形成される。天面壁１２の中央部から引張り部２４の外側までの距離を、外周壁１４の半径以下となるように形成する。さらに、キャップ１０を容器に被せたときに、天面壁１２の中央部から引張り部２４の外側までの距離を、外周壁１４の半径より大きくなるようにする。【選択図】    図１
2005067666.tif 000002
【特許請求の範囲】
【請求項１】
板状の天面壁、
前記天面壁の外周部において前記天面壁の面に交差する向きに延びるように形成される筒状の外周壁、
前記外周壁を容易に破断できるように前記外周壁の一部に形成されるスコア部、および
引くことにより前記スコア部を破断するために前記スコア部に連結されるように形成される引張り部を含み、
前記天面壁の中央部から前記引張り部の外側までの距離が前記外周壁の半径以下であることを特徴とする、キャップ。
【請求項２】
前記スコア部および前記引張り部が前記外周壁の複数箇所に形成された、請求項１に記載のキャップ。
【請求項３】
前記外周壁を容器の口部に被せたときに、前記引張り部が外側に向かって押されることにより、前記天面壁の中央部から前記引張り部の外側までの距離が前記外周壁の半径より大きくなることを特徴とする、請求項１または請求項２に記載のキャップ。
【請求項４】
前記引張り部の内側に凹部が形成され、前記外周壁の周方向における前記凹部の両側を含めて前記凹部を囲むように前記引張り部と前記スコア部とを連結する連結部が形成された、請求項１ないし請求項３のいずれかに記載のキャップ。
【請求項５】
前記外周壁の端部側において、前記凹部に隣接するようにして前記引張り部に前記外周壁の内側に向かって突出する凸部が形成された、請求項４に記載のキャップ。
【請求項６】
前記引張り部の前記天面壁側に指を掛けるための指掛部が形成され、前記指掛部に対応する位置にある前記天面壁部分が他の天面壁部分より低くなるように形成された、請求項１ないし請求項５のいずれかに記載のキャップ。
【請求項７】
前記指掛部側において、前記連結部に角度を有する角部が形成された、請求項６に記載のキャップ。
【請求項８】
前記角部側において、前記スコア部に開口部または薄膜部が形成され、前記外周壁の端部側に向かうにしたがって厚くなるように形成された、請求項７に記載のキャップ。
【請求項９】
前記天面壁の低くなった部分と他の部分との光沢を異なるようにした、請求項６ないし請求項８のいずれかに記載のキャップ。
【請求項１０】
前記天面壁の低くなった部分に、前記引張り部を引く方向に矢印が形成された、請求項６ないし請求項９のいずれかに記載のキャップ。
【請求項１１】
前記スコア部を破断したのち、前記外周壁を周方向に切断するための切断線が形成された、請求項１ないし請求項１０のいずれかに記載のキャップ。
【発明の詳細な説明】
【技術分野】
【０００１】
この発明は、キャップに関し、特にたとえば、牛乳瓶などの口部を塞ぐために用いられるキャップに関する。
【背景技術】
【０００２】
瓶などの容器の口を塞ぐキャップとして、図１４に示すように、容器の口部に被せるキャップ１がある。キャップ１は、円板状の天面壁２を含む。天面壁２の端部において、天面壁２の面と交差するように延びる筒状の外周壁３が形成される。また、外周壁３の内側において、天面壁２から延びるようにして筒状の内周壁４が形成される。また、外周壁３の外面側に、鍔状部５が形成される。さらに、外周壁３の外面側に突出するように、引張り部６が形成される。そして、引張り部６から外周壁３を周方向に切断するための切断線７が形成される。
【０００３】
キャップ１は、図１５に示すように、容器８の口部に被せられる。このとき、外周壁３と内周壁４とで容器８が挟まれ、容器８の口部がキャップ１で塞がれる。このキャップ１を容器８から外すときには、図１６に示すように、引張り部６を引くことにより外周壁３の一部が破断し、切断線７部分で外周壁３が周方向に切断される。したがって、外周壁３を容器８の口部に沿って引き剥がすことができ、外周壁３による容器８への係合力が弱くなる。そして、鍔状部５を持ち上げることにより、キャップ１を容器８から取り外すことができる（例えば、特許文献１参照）。
【０００４】
【特許文献１】特開平９−５８７１９号公報
【発明の開示】
【発明が解決しようとする課題】
【０００５】
しかしながら、このような従来のキャップでは、キャップを容器から取り外すために用いられる引張り部が外周壁の外側に向かって突出しているため、キャッピング用機械を用いてキャップを容器に被せるときに、引張り部が機械に引っ掛かるなどの不具合が発生しやすい。
【０００６】
それゆえに、この発明の主たる目的は、キャップを容器に被せるときに、キャッピング用機械に引っ掛かったりしないキャップを提供することである。
【課題を解決するための手段】
【０００７】
この発明は、板状の天面壁と、天面壁の外周部において天面壁の面に交差する向きに延びるように形成される筒状の外周壁と、外周壁を容易に破断できるように外周壁の一部に形成されるスコア部と、引くことによりスコア部を破断するためにスコア部に連結されるように形成される引張り部とを含み、天面壁の中央部から引張り部の外側までの距離が外周壁の半径以下であることを特徴とする、キャップである。
このようなキャップにおいて、スコア部および引張り部が外周壁の複数箇所に形成されてもよい。
また、外周壁を容器の口部に被せたときに、引張り部が外側に向かって押されることにより、天面壁の中央部から引張り部の外側までの距離が外周壁の半径より大きくなることが好ましい。
さらに、引張り部の内側に凹部を形成することができ、外周壁の周方向における凹部の両側を含めて凹部を囲むように引張り部とスコア部とを連結する連結部が形成される。
凹部を形成した場合、外周壁の端部側において、凹部に隣接するようにして引張り部に外周壁の内側に向かって突出する凸部を形成することが好ましい。
また、引張り部の天面壁側に指を掛けるための指掛部を形成することができ、指掛部に対応する位置にある天面壁部分が他の天面壁部分より低くなるように形成することが好ましい。
このようなキャップにおいては、指掛部側において、連結部に角度を有する角部を形成することができる。
さらに、角部側において、スコア部に開口部または薄膜部が形成され、外周壁の端部側に向かうにしたがって厚くなるように形成されることが好ましい。
また、天面壁の低くなった部分と他の部分との光沢を異なるようにしてもよい。
さらに、天面壁の低くなった部分に、引張り部を引く方向に矢印を形成することができる。
また、スコア部を破断したのち、外周壁を周方向に切断するための切断線を形成してもよい。
【０００８】
スコア部を破断するために形成される引張り部が、外周壁の外側に突出しない構成とすることにより、キャッピング用機械などで容器にキャップを被せるときに、キャッピング用機械にキャップが引っ掛かりにくい。
このようなキャップにおいて、スコア部や引張り部が複数あれば、外周壁の破断箇所が多くなって、容器からキャップを取り外しやすくなる。このような場合においても、引張り部が外周壁の外側に突出しないようにすることにより、キャップの引っ掛かりなどがない状態で、キャッピング用機械を使用することができる。
このようなキャップにおいて、キャップを容器に被せたときに、引張り部が外周壁の外側に突出するようにしておくことにより、容器からキャップを取り外すときに、引張り部を引きやすくすることができる。
また、引張り部の内側に凹部を形成し、凹部を囲むようにして引張り部とスコア部とを連結する連結部を形成することにより、キャップを容器に被せたときに、凹部の両側の連結部が広がって、容器の外周部に係合する。このとき、連結部が広がることにより、容器への係合力が強くなりすぎず、不用意にスコア部が破断したりしない。
さらに、外周壁の端部側において、凹部に隣接するようにして引張り部に外周壁の内側に向かって突出する凸部を形成することにより、キャップを容器に被せたときに、凸部による容器への係合力が大きくなる。それにより、凸部と反対側である引張り部の天面壁側が外側に変位し、引張り部がより大きく外側に突出する。
また、引張り部の天面壁側に指掛部を形成し、それに対応する天面壁部分を低くすることにより、指掛部に指を引掛けやすくなる。したがって、指掛け部に指をかけて引張り部を引くことにより、スコア部を破断しやすくなり、キャップの取り外しが容易となる。
さらに、指掛部側において、連結部に角部を形成することにより、指掛部から引張り部を引いたときに、角部に対応するスコア部に力がかかるため、スコア部の破断が容易に開始する。
角部側において、スコア部に開口部または薄膜部を形成することにより、スコア部が角部側から容易に破断する。そして、スコア部を外周壁の端部側に向かうにしたがって厚くなるようにしておくことにより、キャップを容器に被せるときに、外周壁の端部側からの破断を防ぐことができる。
また、天面壁の低くなった部分と他の部分との光沢を異なるようにしておくことにより、一見して指掛部の位置を把握することができる。
特に、指掛部に向かう矢印を形成しておくことにより、指掛部の位置の把握が容易となる。
さらに、外周壁を周方向に切断する切断線を形成しておくことにより、引張り部を引いてスコア部を破断したのち、外周壁を周方向に引き剥がすことができ、キャップの取り外しが容易となる。
【発明の効果】
【０００９】
この発明によれば、キャップを容器に被せていないときには、引張り部が外周壁の外側に突出しないため、機械を用いてキャップを取り扱うことが容易である。このようなキャップにおいて、容器に被せたときに、引張り部が外周壁の外側に突出するようにしておくことにより、容器からキャップを取り外すためにスコア部を破断するとき、引張り部に指を掛けやすくなる。
【００１０】
この発明の上述の目的，その他の目的，特徴および利点は、図面を参照して行う以下の発明を実施するための最良の形態の説明から一層明らかとなろう。
【発明を実施するための最良の形態】
【００１１】
図１はこの発明のキャップの一例を示す平面図であり、図２は図１のＡ−Ａ断面図解図であり、図３はその裏面図である。キャップ１０は、たとえば合成樹脂などを用いて、射出成形などによって形成される。キャップ１０は、円板状の天面壁１２を含む。天面壁１２の外周端部には、天面壁１２の面に直交するようにして、天面壁１２の面の一方向に延びる筒状の外周壁１４が形成される。さらに、外周壁１４の内側において、天面壁１２の面に直交するように延びて、外周壁１４と同心円状の内周壁１６が形成される。
【００１２】
天面壁１２には、薄壁部１２ａと厚壁部１２ｂとが形成される。薄壁部１２ａは、内周壁１６の内側に形成され、厚壁部１２ｂは、薄壁部１２ａの外周側に形成される。また、外周壁１４の端部側の１箇所に、外側に向かって突出する鍔状部１８が形成される。鍔状部１８は、外周壁１４の端部に沿って形成される。そして、鍔状部１８と外周壁１４との間に、複数のリブ２０が形成され、鍔状部１８が容易に変形しないようになっている。
【００１３】
鍔状部１８の近傍において、外周壁１４に、薄肉部２２が形成される。薄肉部２２は、天面壁１２側から端部側まで、薄肉状に形成される。薄肉部２２の中央部には、引張り部２４が形成される。引張り部２４は、略矩形状に形成され、図４に図２のＢ−Ｂ断面図解図を示すように、連結部２６によって薄肉部２２に連結される。薄肉部２２と連結部２６とは、引張り部２４を引いたときに破断するスコア部２８を介して連結される。連結部２６は、引張り部２４の一方面からスコア部２８に向かって突き出すように形成される。この連結部２６は、図５および図６に示すように、外周壁１４の端部側の２箇所から天面壁１２側に向かって直線状に延び、これらの直線状部分から折れ曲がって天面壁１２側の１点に向かって延びるように形成される。したがって、連結部２６の最も天面壁１２に近い部分では、連結部２６が角度をもった形状となり、角部２６ａが形成される。
【００１４】
角部２６ａ側においては、図７に示すように、スコア部２８に薄膜部２８ａが形成され、外周壁１４の端部側に向かうにしたがって厚くなるように形成される。なお、薄膜部２８に代えて、開口部が形成されてもよい。さらに、引張り部２４の内面側において、連結部２６の中央部に、凹部３０が形成される。そして、外周壁１４の端部側において、凹部３０に隣接するようにして、引張り部材２４に凸部３２が形成される。したがって、凹部３０は、外周壁１４の周方向の両側および天面壁１２側において連結部２６で囲まれ、外周壁１４の端部側において凸部３２が形成されている。
【００１５】
このようなキャップ１０において、薄肉部２２は、外周壁１４の円周面より内側に形成される。この薄肉部２２の外側に引張り部２４が形成されることにより、天面壁１２の中心部から引張り部２４の外側までの距離は、外周壁１４の半径とほぼ同じとなるように形成される。なお、天面壁１２の中心部から引張り部２４の外側までの距離が、外周壁１４の半径より小さくなるように形成されてもよい。この場合、引張り部２４は、外周壁１４より内側に入り込んだ位置に形成される。
【００１６】
さらに、薄肉部２２形成部分における天面壁１２の外面側が、他の天面壁１２の部分より低くなるように形成される。この低くなった部分１２ｃは、たとえば鏡面状に形成され、他の高い部分にはエンボス加工が施される。したがって、薄肉部２２形成部分における天面壁１２の低くなった部分１２ｃと、その他の高い部分とで、光沢が異なるように形成されている。さらに、天面壁１２の低くなった部分１２ｃには、引張り部２４に向かって、矢印３４が形成される。このように、引張り部２４に対応する部分において、天面壁１２の高さや光沢を異なるように形成し、さらに矢印３４を形成することにより、引張り部２４の位置を明確に示すことができる。
【００１７】
さらに、図４に示すように、外周壁１４の内側において、薄肉部２２の両側に、窪み３６が形成される。窪み３６は、外周壁１４の天面壁１２側に形成される。また、引張り部２４は、外周壁１４の端部側において、膜状部３８によって薄肉部２２および外周壁１４に連結される。膜状部３８は、鍔状部１８に対して引張り部２４の反対側に形成され、引張り部２４の鍔状部１８側は膜状部でスコア部２２などに連結されない。
【００１８】
また、外周壁１４の端部側において、内周壁１６側に向かって突出する第１の凸条部４０が形成される。第１の凸条部４０は、外周壁１４の内側をほぼ一周するように、環状に形成される。第１の凸条部４０は、連続して形成されず、中間の数箇所において切れ目が形成される。なお、鍔状部１８および連結部２６が形成された部分においては、第１の凸状部４０は形成されない。なお、連結部２６の内側に形成された凸部３２が、第１の凸条部４０に挟まれるような位置に配置され、凸部３２が第１の凸条部４０の一部を構成するような構造となっている。
【００１９】
さらに、内周壁１６の端部側において、外周壁１４側に向かって突出する第２の凸条部４２が形成される。第２の凸条部４２は、内周壁１６の外側を一周するように、環状に形成される。また、天面壁１２の内側には、２つの第３の凸条部４４ａ，４４ｂが形成される。第３の凸条部４４ａ，４４ｂは、外周壁１４と内周壁１６との間において、並んで形成される。そして、第３の凸条部４４ａ，４４ｂは、天面壁１２から外周側に向かって突出するように形成される。
【００２０】
キャップ１０は、牛乳瓶などの容器の口部に被せられる。容器５０としては、たとえば図８に示すように、口部の外面側に段差部５２を有するものが用いられる。キャップ１０を容器５０の口部に被せると、外周壁１４と内周壁１６とで容器５０の口部が挟み込まれる。このとき、第１の凸条部４０が容器５０の段差部５２にかかって、キャップ１０が容器５０から外れにくくなる。また、内周壁１６の第２の凸条部４２が、容器５０の内面に押し付けられて、キャップ１０が容器５０から外れにくくなる。
【００２１】
また、キャップ１０を容器５０の口部に被せることにより、天面壁１２に形成された第３の凸条部４４ａ，４４ｂが容器５０の口部の上面に押し当てられ、容器５０内の密閉性を確保することができる。このとき、第３の凸条部４４ａ，４４ｂが外周側に向かって傾斜するように突出しているため、キャップ１０を容器５０に被せたときに、第３の凸条部４４ａ，４４ｂが外周側に変位するように撓みながら容器５０に押し付けられる。そのため、第３の凸条部４４ａ，４４ｂによって、確実に容器５０内の密閉性を保つことができる。
【００２２】
キャップ１０を容器５０に被せたとき、引張り部２４の端部に形成された凸部３２も、第１の凸条部４０と同様の位置にあるため、この位置において容器に対する締付け力が働き、容器５０からキャップ１０が外れにくくなる役割を果たしている。また、キャップ１０が容器５０の口部に被せられたとき、図９に図８のＣ−Ｃ断面図解図を示すように、薄肉部２２が容器５０によって外側に押し出され、引張り部２４が外周壁１４の外側に突出する。特に、窪み３６が形成されることにより、天面壁１２側において薄肉部２２が変形しやすい。また、引張り部２４の内側に凹部３０が形成されていることにより、凹部３０の両側の連結部２６が変形しやすく、引張り部２４の天面壁１２側が外側に向かって変位しやすい。それに対して、外周壁１４の端部側においては、引張り部２４に凸部３２が形成されているため、容器５０への係合力が強く、外側に向かって変形しにくい。このように、引張り部２４の天面壁１２側が外側に向かって変位し、引張り部２４の端部側が外側に向かって変形しにくいため、引張り部２４の天面壁１２側が大きく外側に変位する。したがって、引張り部２４の天面壁１２側端部に指を掛けて引っ張りやすくなり、引張り部２４を引くための指掛け部２４ａとして働く。また、引張り部２４の天面壁１２側が変形しやすいため、この部分において容器５０の口部が強く締め付けられず、スコア部２８が破断しにくい。
【００２３】
このキャップ１０では、容器５０に被せた状態において、容器５０内の密閉性が保たれている。この状態で、たとえば雰囲気温度の変化などにより、容器５０内の圧力が変化する場合がある。しかしながら、このキャップ１０においては、天面壁１２の中央部に薄壁部１２ａが形成されていることにより、容器５０内の圧力変化に対して、薄壁部１２ａが変形しやすい。つまり、容器５０内の圧力が高くなると、薄壁部１２ａが外側に膨らみ、容器５０内の圧力が低くなると、薄壁部１２ａが内側にへこんで、容器５０内の圧力調整を行うことができる。
【００２４】
容器５０に被せられたキャップ１０を取り外すときには、図１０（Ａ）（Ｂ）（Ｃ）に示すように、引張り部２４の指掛け部２４ａに指をかけて、引張り部２４を引くことにより、スコア部２８が容易に破断する。それにより、外周壁１４に破断部が形成され、外周壁１４による容器５０への係合力が弱まる。したがって、鍔状部１８を持ち上げることにより、簡単にキャップ１０を容器５０から取り外すことができる。
【００２５】
このとき、引張り部２４に対応する位置において、天面壁１２が低くなっているため、それに対応した部分にある指掛け部２４ａに指をかけやすい。また、天面壁１２の低くなった部分１２ｃの光沢が他の部分と異なっているため、一見して指掛け部２４ａの位置を見出すことができる。さらに、このキャップ１０では、天面壁１２の低くなった部分１２ｃに矢印３４が形成されているため、この矢印３４によっても、指掛け部２４ａの位置を確認することが容易である。
【００２６】
キャップ１０を容器５０から取り外すとき、指掛け部２４ａに指をかけて引張り部２４を引くことにより、スコア部２８に力が加えられる。ここで、連結部２６の天面壁１２側に角部２６ａが形成されているため、引張り部２６を引くことにより、角部２６ａに対応したスコア部２８部分に大きい力が加わり、スコア部２８の破断が始まりやすい。さらに、角部２６ａ近傍には、薄膜部２８ａが形成されているため、引張り部２４を引くことにより、容易に薄膜部２８ａが破断する。したがって、引張り部２４は、角部２６ａから外周壁１４の端部まで連続して破断する。なお、外周壁１４の端部側において、引張り部２４の一方側が膜状部３８で外周壁１４に連結されているため、図１０（Ｃ）に示すように、引張り部２４を引いて外周壁１４の一部を破断しても、引張り部２４が分離されない。したがって、取り外されたキャップ１０とは別に、余分なごみが発生しない。
【００２７】
このように、このキャップ１０では、連結部２６の角部２６ａ側から容易に破断する構造となっているが、外周壁１４の端部側に向かうにしたがってスコア部２８が厚くなっているため、外周壁１４の端部側からは破断しにくい構造となっている。したがって、キャップ１０を容器５０に被せるときには、キャップ１０が破断しにくく、キャップ１０を容器５０から取り外すときには、キャップ１０を容易に破断することができる。
【００２８】
このキャップ１０では、容器５０に被せられていないときには、天面壁１２の中央部から引張り部２４の外側の面までの距離が、外周壁１４の半径より小さいため、キャッピング用機械などを用いてキャップ１０を容器５０に被せるときに、引張り部２４が機械に引っ掛かったりせず、取り扱いが容易である。しかも、キャップ１０が容器５０に取り付けられた状態では、天面壁１２の中央部から引張り部２４の外側までの距離が、外周壁１４の半径より大きくなるため、引張り部２４が突出した状態となり、指掛け部２４ａに指をかけて引張り部２４を引きやすい。そのため、容器５０からキャップ１０を取り外すことが容易である。
【００２９】
なお、引張り部２４は、外周壁１４の１箇所にのみ形成されるだけでなく、外周壁１４の複数箇所に形成されてもよい。たとえば、図１１に示すように、鍔状部１８を挟んで等間隔の位置に、引張り部２４を形成することができる。このようなキャップ１０では、外周壁１４の２箇所で破断することができ、鍔状部１８を持ち上げることにより、より容易にキャップ１０を容器５０から取り外すことができる。さらに、２つの引張り部２４は、天面壁１２の中心部を挟んで対向する位置に形成されてもよい。もちろん、３つ以上の引張り部２４が形成されてもよい。このように、引張り部２４の数および位置は、任意に設定可能である。
【００３０】
上述のキャップ１０では、引張り部２４を引くことにより、外周壁１４の一部を破断し、外周壁１４による容器５０への係合力を弱くしたが、図１２および図１３に示すように、引張り部２４を引いて外周壁１４の一部を破断したのち、外周壁１４を周方向に切断するための切断線６０を形成してもよい。このようなキャップ１０では、外周壁１４を周方向に切断することにより、容器５０への係合力が小さくなり、容易にキャップ１０を容器５０から取り外すことができる。
【００３１】
なお、内周壁１６は、必ずしも形成される必要はなく、外周壁１４のみが容器５０に係合することにより、キャップ１０が容器５０に被せられてもよい。また、容器５０に段差部５２がない場合であっても、第１の凸条部４０が容器５０の外面に押し付けられることにより、キャップ１０を容器５０に被せて固定することができる。
【図面の簡単な説明】
【００３２】
【図１】この発明のキャップの一例を示す平面図である。
【図２】図１の線Ａ−Ａにおける断面図解図である。
【図３】図１に示すキャップの裏面図である。
【図４】図２の線Ｂ−Ｂにおける断面図解図である。
【図５】図１に示すキャップを引張り部側からみた図解図である。
【図６】図１に示すキャップの連結部を露出した状態を示す図解図である。
【図７】図１に示すキャップのスコア部を示す図解図である。
【図８】図１に示すキャップを容器に被せた状態を示す断面図解図である。
【図９】図８の線Ｃ−Ｃにおける断面図解図である。
【図１０】（Ａ）（Ｂ）（Ｃ）は、図１に示すキャップを容器から取り外すためにスコア部を破断するときの様子を示す斜視図である。
【図１１】この発明のキャップの他の実施例を示す平面図である。
【図１２】この発明のキャップのさらに他の実施例について、キャップを容器から取り外すためにスコア部を破断するときの様子を示す斜視図である。
【図１３】図１２に示すキャップを裏面側からみた図解図である。
【図１４】従来のキャップの一例を示す図解図である。
【図１５】図１４に示す従来のキャップを容器に被せた状態を示す図解図である。
【図１６】図１４に示す従来のキャップを容器から取り外す状態を示す図解図である。
【符号の説明】
【００３３】
１０    キャップ
１２    天面壁
１４    外周壁
１６    内周壁
１８    鍔状部
２２    薄肉部
２４    引張り部
２４ａ  指掛け部
２６    連結部
２６ａ  角部
２８    スコア部
２８ａ  薄膜部
３０    凹部
３２    凸部
３４    矢印
６０    切断線
【図１】
2005067666.tif 000003
【図２】
2005067666.tif 000004
【図３】
2005067666.tif 000005
【図４】
2005067666.tif 000006
【図５】
2005067666.tif 000007
【図６】
2005067666.tif 000008
【図７】
2005067666.tif 000009
【図８】
2005067666.tif 000010
【図９】
2005067666.tif 000011
【図１０】
2005067666.tif 000012
【図１１】
2005067666.tif 000013
【図１２】
2005067666.tif 000014
【図１３】
2005067666.tif 000015
【図１４】
2005067666.tif 000016
【図１５】
2005067666.tif 000017
【図１６】
2005067666.tif 000018